(57)【要約】【課題】情報端末のタッチパネルの壁紙の表示を工夫することで、メトロノームとしての利便性の向上を図るメトロノームプログラムを得る。【解決手段】タッチパネルを備えた情報端末にメトロノームの発音処理を実行させるメトロプログラムであって、テンポ、拍子を設定し表示するコントロール群を前記タッチパネルの前景として表示するとともに、任意に選択した壁紙４０を前記タッチパネルの背景として表示し、前記メトロノーム発音処理中において、拍のタイミング及びその後の時間経過に応じて前記壁紙の明度を変化させる処理を前記情報端末に実行させる。【選択図】図５
2015068744.tif 000002
【特許請求の範囲】
【請求項１】
タッチパネルを備えた情報端末にメトロノームの発音処理を実行させるプログラムであって、
テンポ、拍子を設定し表示するコントロール群を前記タッチパネルの前景として表示するとともに、任意に選択した壁紙を前記タッチパネルの背景として表示し、
前記メトロノーム発音処理中において、拍のタイミング及びその後の時間経過に応じて前記壁紙の明度を変化させる処理を前記情報端末に実行させる
ことを特徴とするメトロノームプログラム。
【請求項２】
前記拍のタイミングでの前記壁紙の第１明度、及び、前記拍のタイミング直前での前記壁紙の第２明度をそれぞれ設定する処理と、
前記第１明度と前記第２明度との範囲で前記壁紙の明度を変化させる処理と
を前記情報端末に実行させる請求項１記載のメトロノームプログラム。
【請求項３】
前記コントロール群を半透明に表示する処理を前記情報端末に実行させる請求項１及び請求項２に記載のメトロノームプログラム。
【発明の詳細な説明】
【技術分野】
【０００１】
本発明は、情報端末を電子式メトロノーム装置として動作させるためのプログラムに関し、特に、情報端末のタッチパネルに壁紙を表示するメトロノームプログラムに関する。
【背景技術】
【０００２】
従来より、拍タイミングに応じて発音や発光により電子的に拍を指示するようにした電子式メトロノーム装置は、例えば特許文献１〜特許文献３に示すように、複数種類の構成が提案されている。
【０００３】
特許文献１には、ユーザのタッピング動作に応じて入力されるタップ周期を判定し、判定したタップ周期から算出されるテンポ値でテンポ報知する電子式メトロノーム装置の構成が開示されている。
特許文献２には、電子式メトロノーム装置のテンポを設定する方法として、タップ入力用スイッチを操作して設定する手法が開示されている。
特許文献３には、電子式メトロノーム装置が複数の発光ダイオードを備え、テンポに合わせて発音させるとともに、各発光ダイオードがテンポの時間に追従するようにスキャン点滅する構成が開示されている。
【０００４】
また、電子式メトロノーム装置において、メトロノームの再生開始（例えば、スキャン点滅及び発音の開始）及び再生終了を行う場合には、装置に設けたスイッチの押圧によるスイッチ操作や、画面上に表示されたボタン窓を指でタッチするタッチ操作で行われていた。
【先行技術文献】
【特許文献】
【０００５】
【特許文献１】特開２００６−２２６９３０号公報
【特許文献２】特開２００１−１８８５３５号公報
【特許文献３】特開２００６−２２０４３１号公報
【発明の概要】
【発明が解決しようとする課題】
【０００６】
しかしながら、従来の電子式メトロノーム装置によれば、テンポの表示はディスプレイに表示される数字や、テンポの時間に追従するようにスキャン点滅する複数の発光ダイオードにより行われるが、ディスプレイに壁紙を表示し、この壁紙の存在によりメトロノームとして使い易くする機能を備えたものは存在しなかった。
【０００７】
本発明は上記事情に鑑みて提案されたもので、情報端末のタッチパネルの壁紙の表示を工夫することで、メトロノームとしての利便性の向上を図るメトロノームプログラムを提供することを目的としている。
【課題を解決するための手段】
【０００８】
上記目的を達成するため本発明の請求項１に係るメトロノームプログラムは、タッチパネルを備えた情報端末にメトロノームの発音処理を実行させるプログラムであって、
テンポ、拍子を設定し表示するコントロール群を前記タッチパネルの前景として表示するとともに、任意に選択した壁紙を前記タッチパネルの背景として表示し、
前記メトロノーム発音処理中において、拍のタイミング及びその後の時間経過に応じて前記壁紙の明度を変化させる処理を前記情報端末に実行させる
ことを特徴としている。
【０００９】
請求項２は、請求項１のメトロノームプログラムにおいて、前記拍のタイミングでの前記壁紙の第１明度、及び、前記拍のタイミング直前での前記壁紙の第２明度をそれぞれ設定する処理と、前記第１明度と前記第２明度との範囲で前記壁紙の明度を変化させる処理とを前記情報端末に実行させることを特徴としている。
【００１０】
請求項３は、請求項１又は請求項２のメトロノームプログラムにおいて、前記コントロール群を半透明に表示する処理を前記情報端末に実行させることを特徴としている。
【発明の効果】
【００１１】
請求項１のメトロノームプログラムによれば、ユーザの好みや楽曲にふさわしい壁紙をメトロノームのタッチパネルの背景として利用できるとともに、拍のタイミング及びその後の時間経過に応じて壁紙の明度を変化させることで、拍のタイミングをタッチパネル全体で報知できる。
【００１２】
請求項２のメトロノームプログラムによれば、拍タイミング間で除々に明度を変化させることができるので、時間経過に伴い明度を低く（暗く）することにより、次の拍のタイミングを分かり易くすることができる。
【００１３】
請求項３のメトロノームプログラムによれば、コントロール群を半透明に表示することで、背景の壁紙の明度が低い（暗い）場合でも壁紙が見られるようにすることができる。
【図面の簡単な説明】
【００１４】
【図１】本発明のメトロノームプログラムが格納された情報端末のハードウエア構成を示すブロック図である。
【図２】情報端末に構築されるメトロノーム装置の構成を示すブロック図である。
【図３】情報端末のタッチパネルにおけるディスプレイ画面図である。
【図４】壁紙の画像図である。
【図５】壁紙を背景としたディスプレイ画面図である。
【図６】ディスプレイ画面図にポップアップされるソングリスト画面図である。
【図７】メトロノーム装置における発音処理の手順を示すフローチャートである。
【発明を実施するための形態】
【００１５】
以下、本発明の実施形態の一例に係るメトロノームプログラムについて説明する。メトロノームプログラムは、情報端末にインストールされることで、電子式メトロノーム装置を構築する。情報端末としては、ｉＰｈｏｎｅ（商品名）等のスマートフォン、ｉＰａｄ（商品名）等のタブレット型端末が使用される。
【００１６】
図１は、情報端末に構築された電子式メトロノーム装置の主要なハードウエア構成を示すブロック図であり、バス１に対して、操作部２、ＣＰＵ３、ＲＯＭ４、ＲＡＭ５、ＨＤＤ６、ネットワークインターフェイス７を接続して構成されている。
操作部２はディスプレイ内にタッチパネルを備え、タッチパネル上における指の動きとしてのタップ、ドラッグ、ピンチイン／ピンチアウト、長押し等のタッチ操作及びタッチパネル内での操作位置を検出可能に構成されている。
【００１７】
ＣＰＵ３は、操作部１へのタッチ操作に応じたメトロノームプログラムの各種処理の実行を制御する。ＲＯＭ４は、ＣＰＵ３により実行又は参照される各種プログラムや各種データ等を格納する。ＲＡＭ５は、ＣＰＵ３がプログラムを実行する際に発生する各種データを一時的に記憶するワーキングメモリとして使用される。
ＨＤＤ６には、ＣＰＵ３でロードされるメトロノームプログラムが、ネットワークインターフェイス７を介して所定のＵＲＬからダウンロードされて記憶されている。
【００１８】
図２は、メトロノームプログラムをインストールすることで、情報端末に構築された電子式メトロノーム装置の構成を示すブロック図である。
電子式メトロノーム装置は、情報端末のディスプレイとしてのタッチパネル装置１０と、タッチパネル装置１０におけるタッチ操作を検出するタッチ操作検出部１１を備えている。タッチ操作検出部１１では、上述したタップ、ドラッグ、ピンチイン／ピンチアウト、長押し等のタッチ操作の種類を検出するとともに、タッチパネル内でのタッチ操作の操作位置を検出する。タッチ操作の種類及び操作位置の検出は、タッチパネル上での指の移動を検知する既存の技術により行われる。
【００１９】
タッチ操作検出部１１は、ソングセット情報設定部４５及びメトロノーム再生スイッチ部１３に接続され、タッチ操作検出部１１で検出されたタッチ操作は、操作内容により、ソングセット情報設定部４５、メトロノーム再生スイッチ部１３のそれぞれへ出力される。
ソングセット情報設定部４５は、タッチパネルの背景画像として利用する壁紙を、ソングセット情報として設定する。ソングセット情報には、壁紙として利用する画像、壁紙に対応させたソングセット名、テンポ情報等のメトロノーム情報が含まれ、ソングセット情報設定部４５で各情報の対応関係を設定する。
ソングセット情報設定部４５で設定されたソングセット情報は、ソングセット情報記憶部４６に記憶される。すなわち、テンポ、拍子等のメトロノーム設定情報及び壁紙をひとまとめにしたソングセット情報が、ソングセット名とともに複数記憶される。
【００２０】
ソングセット情報設定部４５によるメトロノームの背景画面としての壁紙を含むソングセット情報の設定処理について、図３〜図５を参照しながら説明する。タッチパネルを形成するディスプレイ画面３０は、図３に示すように、下側位置より、ダイヤル表示部３０ａ、ビートインジケータ表示部３０ｂ、サークル表示部３０ｃを有している。
壁紙４０（図４）は、ディスプレイ画面３０とほぼ同じ大きさの画像（図４の例では風景画像）から構成され、図５に示すように、ディスプレイ画面３０全体の背景画像として利用されるようになっている。
ディスプレイ画面３０の最下部位置には、ソングセット名表示部３０ｘが表示され、このソングセット名表示部３０ｘへのタッチ操作によりソングセット情報が設定可能になっている。
【００２１】
ソングセット名表示部３０ｘで指を左右方向にすべらせる（ドラッグ）と、既に記憶されたソングセット情報の切り換えを行うことができる。この切り換え操作により、ソングセット情報内のテンポ、拍子等が読み出され、現在のメトロノーム設定情報をそれらの値で更新するようになっている。
ソングセット名表示部３０ｘを指でタップすると、図６に示すようなソングリストが表示されたソングリスト画面６０がポップアップし、表示されたソングセット名を選択することで、ソングセット情報を切り換えることができる。また、各ソングセット名の右端にあるアクセサリアイコン６１（iボタン）をタップすると、ソングセット名に対応するメトロノーム情報の設定画面（図示せず）を表示させて、各設定値を変更することができる。
また、新規なソングセット名をソングリストに追加し、ソングセット名に対応する壁紙やテンポ値、拍子等のメトロノーム情報値を設定することもできる。
【００２２】
設定画面（図示せず）では、壁紙４０の取り込みや壁紙４０の明度を設定するようになっている。例えば、壁紙を取り込む場合は、情報端末に既に記憶されている画像や、情報端末に付属するカメラで撮影した画像を選択することで、任意の画像を壁紙として利用することが可能となる。
また、壁紙４０の明度を設定可能にすることで、後述する操作画面のコントロール群（ダイヤル３１等）に対する透ける度合いを調整することができる。また、壁紙４０の明度は、タッチパネルのディスプレイ画面３０が通常状態である場合の通常値（第２明度）と、後述する強拍タイミングに応じてフラッシュさせる時の強拍タイミング値（第１明度。通常値より明るい明度）をそれぞれ設定するようになっている。無論、第１明度と第２明度の明るさの関係はその逆であっても構わない。
【００２３】
ダイヤル表示部３０ａには、メトロノームのテンポを変更するための円盤状のダイヤル３１が表示されている。ダイヤル３１内には、テンポ値の目盛となる数字が所定値間隔で表示されている。ダイヤル３１の中心の内側位置には、三角形のテンポ設定位置マーク３２が表示され、テンポ設定位置マーク３２が指し示すダイヤル３１の目盛り位置に対応する数値がメトロノームのテンポ値として設定される。
ダイヤル３１の内側には、ダイヤル中央を円運動の中心とし、テンポ設定位置マーク３２を中央としてダイヤル円周上を往復運動する円形の振り子３３が表示されている。振り子３３は、メトロノーム発音処理中に、設定されたテンポ値に応じた周期で円運動する。
また、ダイヤル３１の内側には、振り子３３の周期運動の両端位置をカギ括弧で示す振り幅マーク３４ａ，３４ｂが表示されている。
【００２４】
ダイヤル３１は、ダイヤル３１上で指をすべらせる（ドラッグ）ことでダイヤルを回転させ、回転角度に応じた目盛が表示されるようになっている。その結果、ダイヤル３１において、テンポ設定位置マーク３２が指し示すダイヤル３１の目盛り位置に対応する数値が変化することで、回転角度に応じたテンポを設定することになる。
また、ダイヤル３１に表示される目盛りの数字は、テンポ値が大きくなるほど大きな刻み値で目盛の数字が自動的に表示される。例えば、図３の例では、テンポ値が小さい側で「８」、テンポ値が大きい側で「３２」の刻み値となっているが、更にテンポ値が小さい数字の場合、「６」「４」「２」の刻み値で表示される。
【００２５】
上述したタッチ操作検出部１１では、タッチ操作の種類と操作位置が検出されるが、操作位置には、ダイヤル３１上での操作であるかどうか、後述する拍子マーク３５、テンポサークル３６、リズムサークル３７、速度標語サークル３８の内側又は外側での操作であるかどうか等の情報も検出する。
【００２６】
タッチ操作検出部１１で検出されたタッチ操作が、ダイヤル３１上でのドラッグ回転である場合、ソングセット情報設定部４５内のテンポ情報設定部によりメトロノームのテンポの設定が行われる。
タッチ操作検出部１１で検出されたタッチ操作が、ダイヤル３１上におけるタップである場合、メトロノーム再生スイッチ部１３によりメトロノームの再生スタート（発音開始）又は再生ストップ（発音停止）が行われる。
【００２７】
ビートインジケータ表示部３０ｂには、拍番号を表示した複数の円形状の拍子マーク３５により拍子数（図３の場合は４拍子）が表示されている。拍子マーク３５は、拍の強弱を表示可能としている。すなわち、強拍の場合は、拍番号を囲む円を大きく表示（拍番号１に対応する拍子マーク３５ａ）し、弱拍の場合は、拍番号を囲む円を強拍に比べて小さく表示（拍番号２，３，４に対応する拍子マーク３５ｂ）する。また、メトロノームの発音処理が行われた場合、各拍子のタイミングで発音する。強拍と弱拍では発音する音が異なり（強拍の方が高い音）、消音拍の場合は発音しない。
また、拍子の発音タイミングで、拍子マーク３５の外側部分が明るくなるフラッシュ表示３５ｃが行われる。フラッシュ表示３５ｃは、経過時間に対応した半径内の範囲が明るくなる。すなわち、フラッシュ表示３５ｃの半径は、拍の発音タイミングからの時間経過に応じて除々に小さくなり、次の拍の発音タイミングの直前で最も小さくなる。したがって、フラッシュ部分の面積がしだいに小さくなるため、次の拍のタイミングを分かり易くするという効果がある。
【００２８】
また、ディスプレイ画面３０の背景となる壁紙４０は、強拍タイミングでの明度を高くし、拍の発音タイミングからの時間経過に応じて除々に暗くなり、次の拍の発音タイミングの直前で最も明度が小さくなるよう設定される。すなわち、拍のタイミングでの壁紙４０の明度を第１明度（強拍タイミング値）に、拍のタイミング直前での壁紙４０の明度を第２明度（通常値）に設定し、拍の発音タイミングからの時間経過に応じて、第１明度から第２明度へ除々に明度が変化するようしている。
したがって、拍タイミングで、ディスプレイ画面３０の全体がフラッシュされて明るくなることにより、強拍のタイミングを分かり易くしている。また、常に壁紙の明度を高くしてしまうと、肝心なメトロノーム設定値の視認性の面で支障が出てくるため、強拍のときだけ明度を高くすることが望ましい。
【００２９】
複数の拍子マークについて、左右方向のドラッグにより、拍子数の増減が行われる。右側へのドラッグが拍子数を増加させ、左側へのドラッグが拍子数を減少させる。
また、拍子マーク３５についての上方向へのドラッグにより、消音の拍を弱拍に、弱拍の拍を強拍に変化させ、下方向へのドラッグにより、強拍の拍を弱拍に、弱拍の拍を消音に変化させる処理が行われる。
【００３０】
また、ビートインジケータ表示部３０ｂ内で、タップによるタッチ操作で拍子を設定してもよい。例えば、１拍目を２本指でタップし、他の拍を１本指でタップし、これらのタップを周期的に行うことで、拍子とテンポを同時に設定することが可能となる。
例えば、図３に表示される拍子を設定する場合、１拍目を２本指で、２拍〜４拍を１本指で周期的にタップすればよい。
【００３１】
サークル表示部３０ｃには、テンポ値を数字で表示するテンポサークル３６、リズムを表示するリズムサークル３７、速度標語を表示する速度標語サークル３８がそれぞれ表示される。各サークルの大きさ及び位置は、編集モードにおいて自由に設定可能とするとともに、互いに重ならない位置に表示されている。
【００３２】
テンポサークル３６には、テンポ設定位置マーク３２が指し示すダイヤル３１の目盛り位置に対応する数値が円内にテンポ値として表示される。したがって、ダイヤル３１上のドラッグでダイヤルを回転させて（回転角度に応じた）目盛り位置が変化する時には、テンポ設定位置マーク３２が指し示す数値も同時に変化し、テンポサークル３６内のテンポ値もそれに応じて変化する。
【００３３】
また、テンポサークル３６に表示される数字は、テンポサークル３６へのタッチ操作により変更可能になっている。例えば、右ドラッグにより「表示されているテンポ値＋１の数字」に、左ドラッグにより「表示されているテンポ値−１の数字」に、上ドラッグにより「表示されているテンポ値×２の数字（倍速）」に、下ドラッグにより「表示されているテンポ値÷２の数字（半分速）」にそれぞれ変更される。
上下ドラッグにより倍速、１／２倍速のテンポ切換を可能とすることで、原曲のテンポの１／２倍〜２倍にして楽器の練習（例えば、ドラムの練習）をしたい時、瞬時且つ容易にテンポの設定を切り換えることができる。
【００３４】
また、テンポサークル３６の円内を長押しすることで、ディスプレイ画面３０のサークル表示部３０ｃの下方にテンキー入力画面（図示せず）を表示させ、テンキーにより数字を入力することで、テンポサークル３６のテンポ値を直接変更することができる。
更には、テンポサークル３６の円内を周期的にタップすることで、周期に応じたテンポ（タップテンポ）が設定可能になっている。また、テンポサークル３６内を１本の指で周期的にタップすることでテンポを設定しながら、同時にビートインジケータ表示部３０ｂ内で１拍目だけを別の指でタップすることで、拍子とテンポを同時に設定してもよい。
【００３５】
リズムサークル３７は、円内に４分、８分、１６分、３連等のリズムを表示する。リズムサークル３７に表示されるリズムは、リズムサークル３７へのタッチ操作により変更可能になっている。例えば、左右ドラッグにより、４分音符、８分音符、１６分音符、３連符等の順に表示させてリズムの切り換えを行う。
【００３６】
速度標語サークル３８は、円内に速度標語を表示し、速度標語サークル３８への左右ドラッグ（タッチ操作）により、Largamente/Grave/Kargo/Lento/Adagio/Larghetto/Agadietto/Andante/Andantino/Maestoso/Moderato/Allegetto/Animato/Allegro/Vivace/Presto/Vivacissimo/Presto/Vivacissimo/Prestissimo等の順に表示させて速度標語の切り換えを行う。
【００３７】
また、上述したダイヤル３１外の長押しによる編集モードでは、サークル表示部３０ｃにおけるテンポサークル３６、リズムサークル３７、速度標語サークル３８の位置の移動、表示の拡大縮小も行うことができる。各サークル位置の移動やサークル表示の拡大縮小を行う場合、各サークルをドラッグしながらの移動によりサークル位置を移動させ、また、２本指のタッチ距離の変化（ピンチイン／ピンチアウト）によりサークル表示を拡大縮小させることができる。また、このような移動処理又は拡大縮小処理を行った場合、全てのサークルが他のサークルと重なることなくサークル表示部３０ｃ内に収まるように、自動的に各サークルについてのレイアウト処理が行われる。
【００３８】
サウンド生成部１７では、ソングセット情報記憶部４６に記憶されたテンポの設定に関する情報からメトロノーム再生時のサウンド情報を生成する。サウンド生成部１７で生成されたサウンド情報は、サウンド再生部２４を介してサウンド出力装置２５で発音される。
【００３９】
また、サウンド生成部１７で生成されたサウンド情報（テンポ設定情報及びダイヤル画像情報が含まれている）を基に、壁紙画像生成部４７においてディスプレイ画面３０の壁紙４０について、強拍タイミング時にフラッシュ表示して明度が変化する画像が作成され、表示装置１９を介してタッチパネルに表示される。
ダイヤル表示部３０ａ、ビートインジケータ表示部３０ｂ、サークル表示部３０ｃに表示されるメトロノームの設定のための操作画面（ダイヤル３１、各種サークル等のコントロール群）を半透明に表示することで、壁紙４０を見易くすることができる。
【００４０】
次に、上述した電子式メトロノーム装置における発音処理の手順について、ソングセット情報設定を主に、図７のフローチャート図を参照して説明する。
先ず、メトロノーム装置のタッチパネルにおけるタッチ操作を検出する（ステップ５１）。
次に、検出したタッチ操作がソングセットのドラッグであるかどうかを検出する（ステップ７２）。
ソングセットのドラッグである場合、ソングセットの切り換えを行い（ステップ６６）、タッチパネルでのソングセット描画を行う（ステップ７８）。
ステップ７２においてソングセットのドラッグでない場合、タッチ操作がソングセットのタップであるかどうかを検出する（ステップ７３）。
【００４１】
ステップ７３においてタッチ操作がソングセットのタップである場合、新規情報の追加であるかどうかを判断する（ステップ７４）。
新規情報の追加であれば、ソングセット情報が入力され（ステップ７５）、ソングリストへの追加が行われ（ステップ７６）、ソングリスト表示又はソングセット選択（ステップ７７）により、ソングセット描画が行われる（ステップ７８）。
新規情報の追加でない場合は、ソングリスト表示又はソングセット選択（ステップ７７）により、ソングセット描画が行われる（ステップ７８）。
ソングセット描画（ステップ７８）に関する処理については後述する。
【００４２】
ステップ７３においてタッチ操作がソングセットのタップでない場合、タッチ操作がダイヤル３１上でのタップであるかどうかを検出する（ステップ６８）。
タッチ操作がダイヤル３１上でのタップである場合、メトロノームの発音処理中（再生中）であるかを判断する（ステップ６９）。
再生中である場合、再生停止を行い（ステップ７０）、再生中でなければ、再生開始を行う（ステップ７１）。
タッチ操作がダイヤル３１上でのタップでない場合、タッチパネルでのソングセット描画を行う（ステップ７８）。
【００４３】
ソングセット描画を行う処理では、メトロノームの発音処理中（再生中）であるかを判断し（ステップ８１）、再生中でない場合は、ステップ５１へ戻る。
再生中である場合、メトロノームのサウンド再生を行い（ステップ８２）、壁紙の明度を変化させる（強拍タイミングで最大明度とし、除々に明度を低くする）処理による壁紙描画が行われる（ステップ７９）。
アプリケーションが終了であるかどうかを判断し（ステップ８４）、アプリ終了でない場合は、ステップ５１へ戻る。
【００４４】
上述した電子式メトロノーム装置によれば、拍のタイミングを壁紙の明度を明るく（フラッシュ表示）することで、タッチパネル全体で報知できるため、メトロノーム設定操作や設定値表示の視認性を損なうことなく、強拍タイミングを解り易くすることができる。
任意の壁紙をタッチパネルの背景画像として設定できるので、ユーザの好みや楽曲にふさわしい壁紙を利用できる。
【符号の説明】
【００４５】
１０…タッチパネル装置１０、  １１…タッチ操作検出部、  １３…メトロノーム再生スイッチ部、  ３０…ディスプレイ画面、  ３０ａ…ダイヤル表示部、  ３０ｂ…ビートインジケータ表示部、  ３０ｃ…サークル表示部、  ３０ｘ…ソングセット名表示部、  ３１…ダイヤル、  ３２…テンポ設定位置マーク、  ３３…振り子、  ３４ａ，３４ｂ…振り幅マーク、  ３５…拍子マーク、  ３６…テンポサークル、  ３７…リズムサークル、  ３８…速度標語サークル、  ４０…壁紙、  ４５…ソングセット情報設定部、  ４６…ソングセット情報記憶部、  ４７…壁紙画像生成部、  ６０…ソングリスト画面。
【図１】
2015068744.tif 000003
【図２】
2015068744.tif 000004
【図３】
2015068744.tif 000005
【図４】
2015068744.tif 000006
【図５】
2015068744.tif 000007
【図６】
2015068744.tif 000008
【図７】
2015068744.tif 000009